(57)【要約】【課題】電気光学装置において、光リーク電流の抑制により高画質化を図ると共に、高精細化に対応する。【解決手段】電気光学装置は、基板（１０）上に、画素領域に配列された各画素の開口領域の中央寄りに位置する一の領域における膜厚が、一の領域の周辺に位置する他の領域における膜厚より小さくなるように形成され、一の領域及び他の領域間に介在する境界領域において、斜めに傾いた傾斜面（１６ａ）を表面に有する絶縁膜（１６）と、絶縁膜より上層側に前記各画素に配置され、絶縁膜のうち少なくとも傾斜面に重なる領域を含むように夫々形成された複数の画素電極（９）とを備える。【選択図】図６
2010085537.tif 000002
【特許請求の範囲】
【請求項１】
基板上に、
画素領域に配列された各画素の開口領域の中央寄りに位置する一の領域における膜厚が、前記一の領域の周辺に位置する他の領域における膜厚より小さくなるように形成されており、前記一の領域及び前記他の領域間に介在する境界領域において、前記一の領域及び前記他の領域に対して斜めに傾いた傾斜面を表面に有する絶縁膜と、
前記絶縁膜より上層側に前記各画素に配置されており、前記基板上で平面的に見て、前記絶縁膜のうち少なくとも前記傾斜面に重なる領域を含むように夫々形成された複数の画素電極と
を備えることを特徴とする電気光学装置。
【請求項２】
前記傾斜面は、所定の曲率を有する曲面であることを特徴とする請求項１に記載の電気光学装置。
【請求項３】
前記傾斜面は、前記基板上で平面的に見て、前記開口領域の端部に沿って形成されていることを特徴とする請求項１又は２に記載の電気光学装置。
【請求項４】
前記絶縁膜は、前記画素電極に比べて異なる屈折率を有する材料を含んで形成されていることを特徴とする請求項１から３のいずれか一項に記載の電気光学装置。
【請求項５】
前記画素領域において前記開口領域の間隙に位置する非開口領域に、前記画素電極をスイッチング制御する薄膜トランジスタを備えることを特徴とする請求項１から４のいずれか一項に記載の電気光学装置。
【請求項６】
前記絶縁膜より下層側に形成されており、前記画素領域で電気光学動作を行うための配線、電極及び電子素子の少なくとも一部を構成する導電層を備えることを特徴とする請求項１から５のいずれか一項に記載の電気光学装置。
【請求項７】
前記画素電極及び前記導電層は共に、ＩＴＯ（Indium Tin Oxide）を含んでなることを特徴とする請求項６に記載の電気光学装置。
【請求項８】
前記絶縁膜は、前記一の領域において部分的に除去されており、
前記画素電極及び前記導電層は、容量絶縁膜を介して対向配置されることにより保持容量を形成することを特徴とする請求項６又は７に記載の電気光学装置。
【請求項９】
前記一の領域は、前記基板上で平面的に見て、多角形状を有していることを特徴とする請求項１から８のいずれか一項に記載の電気光学装置。
【請求項１０】
前記一の領域は、前記基板上で平面的に見て、円形状を有していることを特徴とする請求項１から８のいずれか一項に記載の電気光学装置。
【請求項１１】
請求項１から１０のいずれか一項に記載の電気光学装置の製造方法であって、
基板上に、
前記画素領域で電気光学動作を行うための配線、電極及び電子素子の少なくとも一部を構成する前記導電層を形成する第１工程と、
前記導電層の上層側に前記絶縁膜を形成する第２工程と、
前記絶縁膜のうち前記一の領域における膜厚が、前記他の領域における膜厚より小さくなり、前記一の領域及び前記他の領域間に介在する境界領域において、前記一の領域及び前記他の領域に対して斜めに傾いた傾斜面を表面に有するように前記絶縁膜をパターニングする第３工程と、
前記絶縁膜の上層側に、前記基板上で平面的に見て、前記絶縁膜のうち少なくとも前記傾斜面に重なる領域を含むように画素毎に画素電極を形成する第４工程と
を備えることを特徴とする電気光学装置の製造方法。
【請求項１２】
前記第３工程において、前記第２工程において形成された前記絶縁膜の表面をウエットエッチングによって部分的に除去することを特徴とする請求項１１に記載の電気光学装置の製造方法。
【請求項１３】
請求項１から１０のいずれか一項に記載の電気光学装置を具備してなることを特徴とする電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置では、基板上に、画素電極と、該画素電極の選択的な駆動を行うための走査線、データ線、及び画素スイッチング用素子としてのＴＦＴ（Thin Film Transistor）とを備えることにより、アクティブマトリクス駆動可能に構成されている。ここで、アクティブマトリクス駆動では、走査線に走査信号を供給することで前記ＴＦＴの動作を制御すると共に、ＴＦＴがＯＮ（オン）駆動されるタイミングでデータ線に画像信号を供給することによって、画像表示が実現される。このような電気光学装置では、表示画像の高コントラスト化等を目的として、ＴＦＴと画素電極との間に蓄積容量が設けられることもある。また、スイッチング素子としてのＴＦＴは光が照射されると光リーク電流の発生によって、誤作動を生じ、表示画像にフリッカが発生してしまうという問題もある。
【０００３】
特許文献１では、蓄積容量を、容量絶縁膜を介して対向する一対の透明電極から構成することで、開口率（即ち、各画素における開口領域及び非開口領域を合わせた全領域に対する開口領域の比率）を確保しつつ、ＴＦＴ周辺に遮光膜を形成することで、ＴＦＴの光リーク電流を抑制する技術が開示されている。
【０００４】
【特許文献１】特開平６−１４８６８４号公報
【発明の開示】
【発明が解決しようとする課題】
【０００５】
しかしながら、上述の背景技術によれば、ＴＦＴの半導体層に入射する光を遮るために、複雑な積層構造を有する遮光膜を形成する必要がある。そのため、積層構造中における電気光学動作を行うための配線等のレイアウトが、著しく制限されてしまうという問題がある。従って、一般的要請として高精細化が要求される液晶装置等においては、背景技術を適応することは容易ではない。また、このような複雑な積層構造を形成するためには、多くの製造工程を経る必要があり、製造コストが増大するという問題点もある。
【０００６】
本発明は、例えば上記問題点に鑑みてなされたものであり、積層構造を複雑化することなく光リーク電流の発生を抑制し、高精細化の要請に対応した電気光学装置及びその製造方法、並びにそのような電気光学装置を備える電子機器を提供することを課題とする。
【課題を解決するための手段】
【０００７】
本発明の電気光学装置は上記課題を解決するために、基板上に、画素領域に配列された各画素の開口領域の中央寄りに位置する一の領域における膜厚が、前記一の領域の周辺に位置する他の領域における膜厚より小さくなるように形成されており、前記一の領域及び前記他の領域間に介在する境界領域において、前記一の領域及び前記他の領域に対して斜めに傾いた傾斜面を表面に有する絶縁膜と、前記絶縁膜より上層側に前記各画素に配置されており、前記基板上で平面的に見て、前記絶縁膜のうち少なくとも前記傾斜面に重なる領域を含むように夫々形成された複数の画素電極とを備える。
【０００８】
本発明の電気光学装置によれば、基板上に、例えば、走査線、データ線等の配線や画素スイッチング用のＴＦＴ等の電子素子が、絶縁膜を介して相互に絶縁されつつ必要に応じて積層されることで画素電極を駆動するための回路が構成されている。本発明に係る「画素領域」は、画素アレイ領域（典型的には「画像表示領域」とも呼ばれる）を意味し、複数の画素が配列されてなる。各画素において、一の領域は、開口領域（即ち、各画素の全領域のうち、表示に実際に寄与する透過光又は反射光等の光が出射される領域）の中央寄りに位置する。これに対し、他の領域は、このような一の領域の周辺に位置する。他方、非開口領域（即ち、各画素の全領域のうち、表示に実際に寄与する透過光又は反射光等の光が出射されない領域）は、平面的に見て、このような開口領域の相互間に位置する。
【０００９】
電気光学装置の動作時において、画素電極には、例えば、画素スイッチング用のＴＦＴのオン／オフ動作に応じたタイミングで、画像信号がデータ線を通じて供給される。これにより、複数の画素電極が配列された画素領域における画像表示が可能となる。
【００１０】
絶縁膜は、開口領域の中央寄りに位置する一の領域における膜厚が、周辺に位置する他の領域における膜厚より小さくなるように形成されている。つまり、絶縁膜は基板上で平面的に見たときに表示光が透過する開口領域の特定の領域において、膜厚が薄くなるように形成されている。そして、一の領域と他の領域との間には境界領域が介在しており、当該領域には一の領域及び他の領域に対して斜めに傾いた傾斜面が形成されている。即ち、一つの特定の画素に注目すると、基板上で平面的に見たときの絶縁膜の表面は、一の領域を底部としたすり鉢状になるように形成されている。
【００１１】
画素電極は絶縁膜上に、画素毎に対応するように形成されている。特に、各々の画素電極は、基板上で平面的に見たときに、少なくとも絶縁膜の表面のうち傾斜面を含むように形成されている。そのため、画素電極の表面にもまた、絶縁膜のすり鉢状の凹み形状に対応した形状が形成されている。
【００１２】
このように絶縁膜及び画素電極の夫々の表面の一部に傾斜面が形成されていると、基板に対して斜めに侵入してきた光は、当該面によって屈折させられる。或いは、これに加えて又は代えて、すり鉢状の凹み形状の内面によって、中央寄りに向けて反射させられる。その結果、基板に対して斜めに入射する光が非開口領域に侵入することを防ぐことができる。仮に傾斜面が設けられていないと、開口領域に斜めに侵入した光の一部は、例えば非開口領域に配置された画素電極のスイッチング用ＴＦＴに照射され、光リーク電流の発生によってＴＦＴが誤作動を起こしてしまう。その点、本発明のように画素電極及び絶縁膜が傾斜面を有するように形成することによって、斜めに入射した光の進行方向を基板に垂直な方向に近づけるように屈折させることができる。そのため、非開口領域に侵入しようとする斜め光を減少させることができ、例えば、上述のようなＴＦＴにおける光リーク電流の発生を抑制することができる。
【００１３】
また、絶縁膜に傾斜面が設けられていない典型的な電気光学装置において非開口領域に入射してしまう斜め光は、電気光学装置の透過率に寄与することなく、非開口領域において消滅又は反射される。しかし、本発明では、非開口領域に侵入しようとする光を屈折させることで、透過光の一部として画像表示に用いることができる。そのため、典型的な電気光学装置に比べて、透過率の高い電気光学装置を実現することができる。
【００１４】
以上のように、本発明によれば、絶縁膜に傾斜面を設けることによって非開口領域に斜め光が侵入することを防止すると共に、傾斜面によって屈折された斜め光を表示光として積極的に活用することで優れた透過率を有する電気光学装置を実現することができる。
【００１５】
本発明の電気光学装置の他の態様では、前記傾斜面は、所定の曲率を有する曲面である。
【００１６】
この態様によれば、絶縁膜の表面に形成されている傾斜面は、必ずしも所定の方向に傾いた平面的な傾斜面である必要はなく、曲面であってもよい。ここで「所定の曲率を有する」とは、一定の曲率を有する曲面だけでなく、例えば領域によって２種類以上の複数の曲率を有する曲面であってもよく、任意の曲率を有する曲面を含めば足りるという意味である。例えば、一定の曲率を有する曲面、即ち、傾斜面の断面が球形の一部になるような曲面であってもよいし、夫々の領域によって２種類以上の曲率を有する曲面が組み合わされることによって、傾斜面が構成されていてもよい。
【００１７】
尚、基板への入射光の進行方向が予め定められている場合には、入射光の侵入角度に応じて、傾斜面の曲率或いは基板に対する角度を設定することで、屈折された斜め光の進行方向がより効果的に、基板に垂直な進行方向に近づくように調整するとよい。
【００１８】
本発明の電気光学装置の他の態様では、前記傾斜面は、前記基板上で平面的に見て、前記開口領域の端部に沿って形成されている。
【００１９】
この態様では、開口領域の端部、即ち、開口領域のうち非開口領域の付近に位置する領域に沿って傾斜面を形成することで、より効果的に非開口領域への斜め光の侵入を防ぐことができる。前述のように、非開口領域には、例えば画素電極のスイッチング用トランジスタ等が配置されるので、光リーク電流の発生を抑制すべく斜め光の侵入を防ぐ必要がある。そこで、本態様のように開口領域のうち、非開口領域に近い領域である開口領域の端部に傾斜面が配置されるように絶縁膜を形成することで、非開口領域の遮光性を向上させることができる。
【００２０】
本発明の電気光学装置の他の態様では、前記絶縁膜は、前記画素電極に比べて異なる屈折率を有する材料を含んで形成されている。
【００２１】
この態様によれば、傾斜面を有する絶縁膜及びその上側に形成された画素電極は異なる屈折率を有するので、互いの屈折率の差に応じて斜め光が屈折される。また、絶縁膜及び画素電極を形成する材料の屈折率を調整することによって、斜め光の屈折角度を制御することが可能となる。このように絶縁膜及び画素電極を形成する材料の屈折率を選択することで、様々な角度から入射する斜め光の屈折角を調整することで、より効果的に屈折された斜め光の進行方向を制御することができ、非開口領域に侵入する斜め光をより少なくすることができる。
【００２２】
本発明の電気光学装置の他の態様では、前記画素領域において前記開口領域の間隙に位置する非開口領域に前記画素電極をスイッチング制御する薄膜トランジスタを備える。
【００２３】
この態様によれば、電気光学装置の動作時において、例えば、所定のタイミングで画素電極に画像信号を供給するためにスイッチング制御するための薄膜トランジスタを備えている。このような薄膜トランジスタは、半導体層に光が照射されると光リーク電流の増大によってＴＦＴが誤作動等を生じてしまう。そのため、典型的には非開口領域に配置されている。上述のように傾斜面を有する絶縁膜を設けることで、非開口領域への入射光を抑制することによって、非開口領域に配置されたＴＦＴにおいて光リーク電流が増大することを防ぐことができる。その結果、ＴＦＴの誤作動等を抑制することができ、表示画像にフリッカ等が少ない高品位な電気光学装置を実現することができる。
【００２４】
本発明の電気光学装置の他の態様では、前記絶縁膜より下層側に形成されており、前記画素領域で電気光学動作を行うための配線、電極及び電子素子の少なくとも一部を構成する導電層を備える。
【００２５】
この態様によれば、導電層は、画素電極の下層側に形成され、画素領域で電気光学動作を行うための配線、電極及び電子素子の少なくとも一部として形成されている。例えば、高コントラスト化を図るための付加容量を構成する一対の容量電極の一方として導電層を構成してもよいし、又は、互いに電位の異なる導電層間に生じる電界を遮断するシールド層等を導電層を構成してもよい。
【００２６】
上述の導電層を備える態様では、前記画素電極及び前記導電層は共に、ＩＴＯ（Indium Tin Oxide）を含んで形成するとよい。
【００２７】
この態様によれば、ＩＴＯは、透明な導電性材料であるので、画素毎に配置された画素電極や、画素電極の下層側に形成される導電層に用いることによって、電気光学装置の透過率を低下させることなく、良好な信号伝達を実現することができる。そのため、ＩＴＯを導電層として用いることで、透過率が高く、高品位な画像表示が可能な電気光学装置を実現することができる。
【００２８】
尚、ＩＴＯはアルミニウム等の金属材料に比べて比較的大きい抵抗値を有しているため、本態様においてＩＴＯによって形成される導電層は、高速動作が要求されない素子等として形成されることが好ましい。例えば、上述したように、固定電位が印加される容量電極やシールド層を導電性材料で形成するとよい。
【００２９】
上述の導電層を備える態様では更に、前記絶縁膜は、前記一の領域において部分的に除去されており、前記画素電極及び前記導電層は、容量絶縁膜を介して対向配置されることにより保持容量を形成してもよい。
【００３０】
この態様によれば、電気光学装置には画素電極及び導電層を一対の容量電極として、間に容量絶縁膜が挟持された保持容量が形成されている。例えば、画素電極の下層側に形成された導電層に固定電位を電源線等から供給することにより、画像信号が供給される画素電極に接続された保持容量を形成することができる。これにより、例えば画像信号が印加される配線の配線容量、或いは他の配線との重なり合いにより生じる容量に対し、保持容量が加わることにより、本来の画像信号が保有すべき電位に変動が生じてしまうこと、即ち、画素電極に書き込まれる画像信号電位のプッシュダウンが生じることを抑制することができる。この結果、画素電極に書き込まれる画像信号電位のプッシュダウンに起因した例えばデータ線に沿った表示ムラが発生することを低減或いは防止できる。
【００３１】
本発明の電気光学装置の他の態様では、前記一の領域は、前記基板上で平面的に見て、多角形状を有している。
【００３２】
この態様によれば、絶縁膜における一の領域が多角形状を有しているので、一の領域及び他の領域間に介在している境界領域、即ち、傾斜面もまた多角形状に形成されている。このように傾斜面を多角形状に構成すると、様々な方向から斜めに入射する光を屈折させることによって、非開口領域への侵入を防止することができる。例えば、３方向から斜めに入射しようとする光がある場合には、傾斜面を三角形状に形成し、夫々の辺が、３方向の光の入射方向に対して垂直に交わるように形成すればよい。このようにして、同時に複数の方向から光が斜めに入射する場合には、その入射光の侵入方向の数に対応した多角形状に一の領域を形成することによって、より効果的に非開口領域への斜め光の侵入を防ぐことができる。
【００３３】
また、前記一の領域は、前記基板上で平面的に見て、円形状を有していてもよい。
【００３４】
上述の態様によると、入射光の侵入方向の数が増えるに従って、多角形状に形成された一の領域の辺の数も増加する。ここで、本態様における「円形状」とは、外周が多角形状をしておらず、なめらかであれば足り、真円だけでなく楕円をも含む意味である。このようにして、より多くの方向から入射する斜め光に対応するためには、絶縁膜の一の領域を円形状に形成するとよい。円形は、多角形の辺の数を無限に多くした場合と等価であるから、このように一の領域を円形状に形成することによって、あらゆる方向から斜めに入射しようとする斜め光に対して、非開口領域に侵入することを防止することができる。
【００３５】
本発明の電気光学装置の製造方法は上記課題を解決するために、基板上に、前記画素領域で電気光学動作を行うための配線、電極及び電子素子の少なくとも一部を構成する前記導電層を形成する第１工程と、前記導電層の上層側に前記絶縁膜を形成する第２工程と、前記絶縁膜のうち前記一の領域における膜厚が、前記他の領域における膜厚より小さくなり、前記一の領域及び前記他の領域間に介在する境界領域において、前記一の領域及び前記他の領域に対して斜めに傾いた傾斜面を表面に有するように前記絶縁膜をパターニングする第３工程と、前記絶縁膜の上層側に、前記基板上で平面的に見て、前記絶縁膜のうち少なくとも前記傾斜面に重なる領域を含むように画素毎に画素電極を形成する第４工程とを備える。
【００３６】
この製造方法によれば、上述のように斜め光が非開口領域に侵入することを防止する絶縁膜は、まず基板上に形成された導電層上に平坦に形成された後、パターニングされることによって、その表面に傾斜面が形成される。
【００３７】
上述の製造方法では、前記第３工程において、前記第２工程において形成された前記絶縁膜の表面をウエットエッチングによって部分的に除去するとよい。
【００３８】
この態様では、典型的な配線や素子等のパターニングに使用されるドライエッチングではなく、ウエットエッチングを用いて絶縁膜の表面を加工することによって傾斜面等の表面構造を形成する。仮にドライエッチングを用いると、エッチングの深さが深いため、表面に所定の曲率を有する曲面を形成することが技術的に難しくなってしまう。そこで、本態様では、ウエットエッチングを用いることによって、絶縁膜の表面に上述の各種態様の構造を形成することを可能にしている。
【００３９】
本発明の電子機器は上記課題を解決するために、上述した本発明の電気光学装置（但し、その各種態様も含む）を備える。
【００４０】
本発明の電子機器によれば、上述した本発明に係る電気光学装置を具備してなるので、高品質な画像を表示することが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置等も実現することも可能である。
【００４１】
本発明の作用及び他の利得は次に説明する発明を実施するための最良の形態から明らかにされる。
【発明を実施するための最良の形態】
【００４２】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
【００４３】
＜１−１．液晶装置＞
先ず、本実施形態に係る液晶装置の全体構成について、図１及び図２を参照して説明する。
【００４４】
図１は、ＴＦＴアレイ基板１０を、その上に形成された各構成要素と共に、対向基板２０の側から見た液晶装置の構成を示す概略的な平面図である。図２は、図１のＨ−Ｈ’断面図である。
【００４５】
図１及び図２において、本実施形態に係る液晶装置は、対向配置されたＴＦＴアレイ基板１０と対向基板２０とを備えている。ＴＦＴアレイ基板１０は例えば石英基板、ガラス基板等の透明基板又はシリコン基板である。対向基板２０も例えばＴＦＴアレイ基板１０と同様の材料からなる基板である。ＴＦＴアレイ基板１０と対向基板２０との間には、液晶層５０が封入されており、ＴＦＴアレイ基板１０と対向基板２０とは、電気光学動作の行われる画像表示領域１０ａの周囲に位置するシール領域に設けられたシール材５２により相互に接着されている。
【００４６】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、例えばシール材５２中には、ＴＦＴアレイ基板１０と対向基板２０との間隔（基板間ギャップ）を所定値とするためのグラスファイバ或いはガラスビーズ等のギャップ材５６が散布されている。
【００４７】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４８】
ＴＦＴアレイ基板１０上における、画像表示領域１０ａの周辺に位置する周辺領域には、データ線駆動回路１０１、サンプリング回路７、走査線駆動回路１０４及び外部回路接続端子１０２が夫々形成されている。
【００４９】
ＴＦＴアレイ基板１０上における周辺領域において、シール領域より外周側に、データ線駆動回路１０１及び複数の外部回路接続端子１０２が、ＴＦＴアレイ基板１０の一辺に夫々沿って設けられている。
【００５０】
また、ＴＦＴアレイ基板１０上の周辺領域のうちシール領域より内側に位置する領域には、ＴＦＴアレイ基板１０の一辺に沿う画像表示領域１０ａの一辺に沿って且つ額縁遮光膜５３に覆われるようにしてサンプリング回路７が配置されている。
【００５１】
また、走査線駆動回路１０４は、ＴＦＴアレイ基板１０の一辺に隣接する２辺に沿い、且つ、額縁遮光膜５３に覆われるようにして設けられている。更に、このように画像表示領域１０ａの両側に設けられた二つの走査線駆動回路１０４間を電気的に接続するため、ＴＦＴアレイ基板１０の残る一辺に沿い、且つ額縁遮光膜５３に覆われるようにして複数の配線１０５が設けられている。
【００５２】
また、ＴＦＴアレイ基板１０上の周辺領域において、対向基板２０の４つのコーナー部に対向する領域に、上下導通端子１０６が配置されると共に、このＴＦＴアレイ基板１０及び対向基板２０間には上下導通材が上下導通端子１０６に対応して該端子１０６に電気的に接続されて設けられている。
【００５３】
図２において、ＴＦＴアレイ基板１０上には、画素スイッチング用のＴＦＴや走査線、データ線等の配線が作り込まれた積層構造が形成されている。画像表示領域１０ａには、画素スイッチング用ＴＦＴや走査線、データ線等の配線の上層に画素電極９がマトリクス状に設けられている。画素電極９は、ＩＴＯ膜からなる透明電極として形成されている。画素電極９上には、配向膜１７が形成されている。
【００５４】
他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上（図２中遮光膜２３より下側）に、ＩＴＯ膜からなる対向電極２１が複数の画素電極９と対向して例えばベタ状に形成され、更に対向電極２１上（図２中対向電極２１より下側）には配向膜２２が形成されている。
【００５５】
液晶層５０は、例えば一種又は数種類のネマティック液晶を混合した液晶からなり、これら一対の配向膜間で、所定の配向状態をとる。そして、液晶装置の駆動時、夫々に電圧が印加されることで、画素電極９と対向電極２１との間には液晶保持容量が形成される。
【００５６】
尚、ここでは図示しないが、ＴＦＴアレイ基板１０上には、データ線駆動回路１０１、走査線駆動回路１０４の他に、複数のデータ線に所定電圧レベルのプリチャージ信号を画像信号に先行して各々供給するプリチャージ回路、製造途中や出荷時の当該液晶装置の品質、欠陥等を検査するための検査回路等が形成されていてもよい。
【００５７】
次に、本実施形態に係る液晶装置の画像表示領域の電気的な構成について、図３を参照して説明する。ここに図３は、本実施形態に係る液晶装置の画像表示領域を構成するマトリクス状に形成された複数の画素における各種素子、配線等の等価回路図である。
【００５８】
図３において、画像表示領域１０ａを構成するマトリクス状に形成された複数の画素の
各々には、画素電極９及び本発明に係る「トランジスタ」の一例としての画素スイッチング用のＴＦＴ３０が形成されている。ＴＦＴ３０は、画素電極９に電気的に接続されており、本実施形態に係る液晶装置の動作時に画素電極９をスイッチング制御する。画像信号が供給されるデータ線６は、ＴＦＴ３０のソース領域に電気的に接続されている。データ線６に書き込む画像信号Ｓ１、Ｓ２、…、Ｓｎは、この順に線順次に供給しても構わないし、互いに隣り合う複数のデータ線６同士に対して、グループ毎に供給するようにしてもよい。
【００５９】
ＴＦＴ３０のゲートには走査線１１が電気的に接続されており、本実施形態に係る液晶装置は、所定のタイミングで、走査線１１にパルス的に走査信号Ｇ１、Ｇ２、…、Ｇｍを、この順に線順次で印加するように構成されている。画素電極９は、ＴＦＴ３０のドレインに電気的に接続されており、スイッチング素子であるＴＦＴ３０を一定期間だけそのスイッチを閉じることにより、データ線６から供給される画像信号Ｓ１、Ｓ２、…、Ｓｎが所定のタイミングで書き込まれる。画素電極９を介して液晶に書き込まれた所定レベルの画像信号Ｓ１、Ｓ２、…、Ｓｎは、対向基板２０（図２参照）に形成された対向電極２１（図２参照）との間で一定期間保持される。
【００６０】
液晶層５０（図２参照）を構成する液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射される。
【００６１】
ここで保持された画像信号がリークすることを防ぐために、画素電極９と対向電極２１（図２参照）との間に形成される液晶容量に対して電気的に並列に蓄積容量７０が付加されている。
【００６２】
次に、本実施形態に係る液晶装置において、画像表示領域１０ａにおける具体的な積層構造について詳しく説明する。
【００６３】
図４は、本実施形態に係る液晶装置の画像表示領域１０ａにおいて、電気光学動作を行うために配置された電極及び配線等の位置関係を透過的に図示した模式図である。尚、図４では、各層・各部材を図面上で認識可能な程度の大きさとするため、該各層・各部材ごとに縮尺を異ならしめてある。
【００６４】
ＴＦＴアレイ基板１０上には、走査線１１及びデータ線６が、夫々Ｘ方向及びＹ方向に沿って配置されており、データ線６と走査線１１の交差付近にＴＦＴ３０（即ち、半導体層３０ａ及びゲート電極３０ｂ）が形成されている。走査線１１は、遮光性の導電材料、例えば、Ｗ、Ｔｉ、ＴｉＮ等から形成されており、ＴＦＴ３０の半導体層３０aを含むように半導体層ａより幅広に形成されている。ここで、後述するように、走査線１１は半導体層３０ａより下層側に配置されているので、このように走査線１１をＴＦＴ３０の半導体層３０ａよりも幅広に形成することによって、ＴＦＴアレイ基板１０における裏面反射や、複板式のプロジェクタ等で他の液晶装置から発せられ合成光学系を突き抜けてくる光などの、戻り光に対してＴＦＴ３０のチャネル領域３０ｂを殆ど或いは完全に遮光できる。その結果、液晶装置の動作時に、ＴＦＴ３０における光リーク電流は低減され、コントラスト比を向上させることができ、高品位の画像表示が可能となる。
【００６５】
ＴＦＴ３０は、半導体層３０ａと、ゲート電極３０ｂとを有して構成されている。半導体層３０ａは、ソース領域３０ａ１、チャネル領域３０ａ２、ドレイン領域３０ａ３含んで形成されている。ここで、 チャネル領域３０ａ２とソース領域３０ａ１、又は、チャネル領域３０ａ２とドレイン領域３０ａ３との界面にはＬＤＤ（Ｌｉｇｈｔｌｙ  Ｄｏｐｅｄ  Ｄｒａｉｎ）領域が形成されていてもよい。
【００６６】
ゲート電極３０ｂは、ＴＦＴアレイ基板１０上で平面的に見て、半導体層３０ａのチャネル領域と重なる領域にゲート絶縁膜を介して形成されている。尚、ゲート電極３０ｂは、下層側に配置された走査線１１にコンタクトホール３４を介して電気的に接続されており、走査信号が印加されることによってＴＦＴ３０をオン／オフ制御している。
【００６７】
ＴＦＴ３０のソース領域３０ａ１は、コンタクトホール３１を介してデータ線６に電気的に接続されている。一方、ドレイン領域３０ａ３は、コンタクトホール３２に形成されたドレイン中継配線（図４において省略）を介して、上層側に形成された画素電極９に電気的に接続されている。
【００６８】
画素電極９は、画素毎に島状に形成されている。本実施形態では、各画素はデータ線６及び走査線１１によってマトリクス状に区分けされている。そして、図４において点線のライン９ａで示したように、画素電極９は各画素において、その端部がＴＦＴアレイ基板１０上で平面的に見たときに、データ線６及び走査線１１に部分的に重畳するように配置されている。
【００６９】
続いて、図５を参照して、図４のＡ−Ａ´線断面における積層構造について説明する。ＴＦＴアレイ基板１０上には、上述した走査線１１が、上層側に形成されたＴＦＴ３０の半導体層３０ａよりも幅広に形成されている。走査線１１は下地絶縁膜１２によって覆われている。尚、下地絶縁膜１２は、ＴＦＴアレイ基板１０の表面研磨時における荒れや、洗浄後に残る汚れ等で画素スイッチング用のＴＦＴ３０の特性変化を防止する機能も有している。
【００７０】
ＴＦＴ３０は、半導体層３０ａ（ソース領域３０ａ１、チャネル領域３０ａ２及びドレイン領域３０ａ３）、ゲート電極３０ｂから構成されている。特にゲート電極３０ｂは、例えば導電性ポリシリコンから形成されており、下層側に配置されている走査線１１に電気的に接続されている。
【００７１】
画像信号が供給されるデータ線６は、ゲート絶縁膜１３及び第１層間絶縁膜１４に開口されたコンタクトホール３１を介してソース領域３０ａ１と電気的に接続されている。一方、ドレイン領域３０ａ３は、上層側に形成された画素電極９に、ドレイン中継配線７を経由して電気的に接続されている。より具体的には、ドレイン中継配線７は、ゲート絶縁膜１３及び第１層間絶縁膜１４に開口されたコンタクトホール３２を介してドレイン領域３０ａ３と画素電極９とを電気的に接続している。画素電極９は第２層間絶縁膜１５に開口されたコンタクトホール３３を介して、ドレイン中継配線７と電気的に接続されている。
【００７２】
画素電極９の下層側には、容量絶縁膜７２を介して、容量電極７１が形成されている。つまり、画素電極９及び容量電極７１間に容量絶縁膜７２を挟持することによって、蓄積容量７０が形成されている。このように蓄積容量７０を画素電極９と一体的に設けることによって、画素電極９の電圧を、画像信号が印加された時間よりも、例えば３桁も長い時間だけ保持することが可能となる。その結果、液晶素子の保持特性が改善される結果、高コントラスト比を有する液晶装置を実現することができる。
【００７３】
本実施形態では特に、画素電極９と容量電極７１とは共に、ＩＴＯを材料として形成されている。ＩＴＯは、透明な導電性材料であるので、画像表示領域１０ａの開口領域に配置される画素電極や、画素電極の下層側に形成される容量電極７１に用いることによって、液晶装置の透過率を低下させることなく、良好に画像信号を伝達させることができ、高品位な画像表示を実現することができる。また、画素電極９と同じ材料で容量電極７１を形成することによって、液晶装置の製造プロセスを簡略化することができる。更に、異なるイオン化傾向を有する導電性材料同士が接触することによって製造時に生じる電蝕が起こることを防ぐこともできる。
【００７４】
尚、ＩＴＯはアルミニウム等の金属材料に比べて比較的大きい抵抗値を有しているため、高速動作が要求される素子等に用いられると電気信号の伝搬に遅延が生じる恐れがあるが、本実施形態のように高速動作が求められない容量電極７１に用いる場合にはそのような恐れもない。
【００７５】
次に、図６を参照して、図４におけるＢ−Ｂ´線断面における積層構造について詳しく説明する。
【００７６】
ＴＦＴアレイ基板１０上には、下地絶縁膜１２、ゲート絶縁膜１３及び第１層間絶縁膜１４が積層されており、その上に画像信号が供給されるデータ線６並びドレイン領域３０ａ３及び画素電極９間を中継接続するドレイン中継配線７が配置されている。
【００７７】
ここで、蓄積容量７０は第２層間絶縁膜１５上に、容量電極７１と画素電極９とを対向する一対の電極として、その間に容量絶縁膜７２が挟持されることによって形成されている。尚、容量電極７１は、共通電位線９１に電気的に接続され、共通電位ＬＣＣＯＭに保持されている（図３参照）。
【００７８】
容量電極７１上に積層されている第３層間絶縁膜１６は、本発明における「絶縁膜」に対応している。特に本実施形態では、ＴＦＴアレイ基板１０上で平面的に見て、容量電極７１の一部が露出するように、第３層間絶縁膜１６が部分的に除去されている。特に、第３層間絶縁膜１６のうち除去された領域付近に残存されている端部は、垂直に切り立っているのではなく、ＴＦＴアレイ基板１０の表面に対して斜めに傾いた傾斜面１６ａを有するように形成されている。尚、図６に示すように、傾斜面１６ａは曲面状に形成されているが、入射光の角度によって、曲率を適宜調整することが好ましい。
【００７９】
本実施形態では特に、画素電極９及び容量電極７１は共に、ＩＴＯから形成されている。ＩＴＯは、透明な導電性材料であるので、画素毎に配置された画素電極や、画素電極の下層側に形成される容量電極７１に用いることによって、液晶装置の透過率を低下させることなく、良好に画像信号を伝達させることができ、高品位な画像表示を実現することができる。
【００８０】
第３層間絶縁膜１６及び容量電極７１上には、それらの表面に沿って容量絶縁膜７２が積層されており、その上層側には更に画素電極９が形成されている。容量絶縁膜７２は、例えばＨＴＯ（High Temperature Oxide）膜、ＬＴＯ（Low Temperature Oxide）膜等の酸化シリコン（ＳｉＯ２）膜、或いは窒化シリコン（ＳｉＮ）膜等から構成された単層構造、或いは多層構造を有するように形成するとよい。画素電極９の下地である容量絶縁膜７２は、第３層間絶縁膜１６及びその上に形成された容量電極７１の表面に沿って形成されている。画素電極９上には、液晶５０を配向規制するための配向膜１７が積層されており、その表面にはラビング処理が施されている。
【００８１】
このように、蓄積容量７０が形成されることによって、画素電極９における電位保持特性が向上し、コントラスト向上やフリッカの低減といった表示特性の向上が可能となる。また、画素電極９と容量電極７１とによって蓄積容量７０を形成しているため、例えば画素電極９の他に、上部電極及び下部電極を設けて蓄積容量を形成する場合に比較して、装置構成を単純化させることが可能である。更に、容量電極７１は、画素電極９より下層側に設けられているため、画素電極９と容量電極７１の下層側（例えば、データ線６など）との電気的或いは電磁気的なカップリングを防止するシールド層として機能することもできる。よって、画素電極９における電位変動等が生じる可能性を低減することも可能となる。
【００８２】
ここで、図７を参照して、第３層間絶縁膜に形成された傾斜面１６ａの効果及び機能について、より具体的に説明する。
【００８３】
図７（ａ）は、第３層間絶縁膜１６に傾斜面１６ａを有していない典型的な液晶装置（以下、比較例という）の画素電極９付近の積層構造を拡大して図示した模式図である。図７（ｂ）は、本実施形態に係る液晶装置の画素電極９付近の積層構造を拡大して図示した模式図である。尚、図７（ａ）及び（ｂ）は共に、各層・各部材を図面上で認識可能な程度の大きさとするため、該各層・各部材ごとに縮尺を異ならしめてあり、一部の詳細な構造については省略している。
【００８４】
まず図７（ａ）に示すように、比較例では、第３層間絶縁膜１６、容量絶縁膜７２及び画素電極９は夫々、ＴＦＴアレイ基板１０の表面に対して平行な方向に積層されている。そのため、ＴＦＴアレイ基板１０に対して斜めに進行する斜め光は、各層を通過する毎に屈折され、例えば、図中に描いた点線のように最終的に斜め光の入射角度に比べて、より斜め方向（即ち、横方向）に進行する光として出射される。その結果、出射光が非開口領域（即ち、図４において、データ線６及び走査線１１が占める領域）に侵入しやすくなり、非開口領域に配置されたＴＦＴ３０の半導体層３０ａに光が照射され、半導体層（特に、チャネル領域３０ａ２）に光リーク電流が発生しやすくなる。
【００８５】
一方、図７（ｂ）に示すように、本実施形態では、第３層間絶縁膜１６に傾斜面１６ａを形成することによって、上層側に積層された容量絶縁膜７２及び画素電極９の形状を変更している。このように、第３層間絶縁膜１６、容量絶縁膜７２及び画素電極９を形成することによって、図中に描いた点線のように、ＴＦＴアレイ基板１０に対して斜めに進行する斜め光は、各層を透過する毎に屈折させられ、最終的には入射方向に比べて、出射方向がＴＦＴアレイ基板１０に垂直な方向に近づくように進行する光となって、透過する。つまり、このように斜め光の進行方向をＴＦＴアレイ基板１０に垂直な方向に近づくように変更することができるので、非開口領域に斜め光が侵入することを抑制することが可能となる。
【００８６】
特に本実施形態では、画素電極９及び容量電極７１、並びに第３層間絶縁膜１６は、異なる屈折率を有する材料から形成されている。つまり、層毎の材質の屈折率の差に応じて斜め光が屈折される。また、画素電極９及び容量電極７１、並びに第３層間絶縁膜１６を形成する材料の屈折率を調整することによって、斜め光の屈折角度を制御することが可能となる。そのため、予め入射する光の方向を考慮して、画素電極９及び容量電極７１、並びに第３層間絶縁膜１６を構成する材料の屈折率を選択することで、様々な角度から入射する斜め光が非開口領域に侵入しないように傾斜面を設定することが好ましい。
【００８７】
また、図７（ａ）における比較例のように、絶縁膜に傾斜面が設けられていない典型的な液晶装置では、非開口領域に入射する斜め光はそのまま遮光膜等において消滅又は反射されるため、画像表示に貢献することはない。それに対し、図７（ｂ）に示す本実施形態では、この斜め光を傾斜面によって屈折させることで、ＴＦＴアレイ基板１０のもう一方の側に透過させるため、表示光の一部として利用することができる。即ち、本実施形態では、斜め光を屈折させて表示光の一部とすることにより、液晶装置の透過率を向上させることができる。
【００８８】
尚、本実施形態では、第３層間絶縁膜の下層側に容量電極７１を、画素電極９と同じ材料であるＩＴＯで形成してある。仮に、容量電極７１を設けていない場合であっても、画素電極９、容量絶縁膜７２及び第３層間絶縁膜において同様に入射光は、各層において屈折され、斜め光の進行方向をＴＦＴアレイ基板１０に垂直な方向に近づくように変更することができる。
【００８９】
次に、図８を参照して、ＴＦＴアレイ基板１０上における傾斜面１６ａの形成範囲について説明する。各画素は、データ線６及び走査線１１によって区分けされている。傾斜面１６ａは、図８中の点線で示すように、画素毎の開口領域の縁部に沿って、長方形状に形成されている。つまり、第３層間絶縁膜１６の表面は、点線の内側を底部としたすり鉢状の形状を画素毎に有するように形成されている。このように傾斜面１６ａを形成することによって非開口領域に斜めに侵入しようとする光を、上述のように傾斜面１６ａによって屈折させることができる。
【００９０】
仮に傾斜面１６ａを開口領域に沿って形成せずに、より開口領域の中心付近に形成した場合、傾斜面１６ａと開口領域の端部との間の領域から非開口領域に斜め光が侵入してしまい、非開口領域に配置されたＴＦＴにおいて光リーク電流が発生してしまう。そのため、本実施形態では、傾斜面１６ａは開口領域の端に沿って形成されている。
【００９１】
以上のように、本実施形態によれば、第３層間絶縁膜１６に傾斜面１６ａを設けることによって非開口領域に斜め光が侵入することを防止すると共に、傾斜面１６ａによって屈折された斜め光を表示光として積極的に活用することで優れた透過率を有する電気光学装置を実現することができる。
【００９２】
＜１−２．変形例＞
次に、本実施形態の変形例について図９を参照して説明する。図９は、データ線６及び走査線１１によって区分けされた画素毎に、第３層間絶縁膜１６の表面に形成された傾斜面１６ａの形成範囲を示した模式図である。尚、図９において、容量電極７１以外の積層構造については、前述の実施形態と同様である。
【００９３】
図８に示すように、前述の実施形態において傾斜面１６ａは、画素毎の開口領域の縁部に沿って長方形に形成されている。本実施形態では、斜め光が入射する方向に対応するように、ＴＦＴアレイ基板１０上で平面的に見て傾斜面１６ａが多角形状になるように形成している。例えば、図９（ａ）では、傾斜面１６ａをＴＦＴアレイ基板１０上で平面的に見て画素毎に六角形状に形成することにより、六角形の各辺に対して垂直な方向から斜めに入射しようとする斜め光を、効果的に屈折させ、非開口領域に侵入することを防止することができる。また、図９（ｂ）では、傾斜面１６ａをＴＦＴアレイ基板１０上で平面的に見て画素毎に円形状に形成することにより、あらゆる方向から斜めに入射しようとする斜め光を、効果的に屈折させ、非開口領域に侵入することを防止することができる。つまり、円形は、多角形の辺の数を無限に増やした場合に相当する。
【００９４】
但し、傾斜面１６ａを多角形状や円形状に形成すると、本実施形態のように各画素が長方形の形状を有している場合には、各画素の角部付近に傾斜面１６ａが形成されていないため、ここから非開口領域に斜め光が侵入する可能性がある。そのため、斜め光の入射方向を予め特定し、それに応じて適切な形状に傾斜面１６ａを形成することが好ましい。
【００９５】
＜２．製造方法＞
次に、図１０を参照して、上述の液晶装置の製造方法について工程毎に説明する。
【００９６】
まず、図１０（ａ）に示すように、ＴＦＴアレイ基板１０上に下地層を積層し、その上に容量電極７１を平坦に形成する。ここで、ＴＦＴアレイ基板１０及び下地層間には、適宜ＴＦＴや配線等を設けてもよい。
【００９７】
続いて、容量電極７１上に本発明における傾斜面１６ａを表面に有する第３層間絶縁膜１６を形成する。図１０（ｂ）に示すように本実施形態では、第３層間絶縁膜１６は初め表面が平坦になるように、例えばスピンコート等の手法によって形成される。或いは第３層間絶縁膜１６は、ＣＶＤ（化学蒸着）等で形成された後、ＣＭＰ（化学的機械研磨）処理などの平坦化処理により平坦化されてもよい。
【００９８】
その後、傾斜面１６ａが形成されるように、各画素について中央寄りが開口され且つ周辺寄りが覆われるようにマスクを形成した後に、該マスクを介してウエットエッチングによって第３層間絶縁膜を部分的に除去する（図１０（ｃ）参照）。このとき、ウエットエッチングを行う時間等を調整することによって、除去する第３層間絶縁膜の膜厚や傾斜面１６ａのＴＦＴアレイ基板１０に対する傾斜度、及び傾斜面１６ａにおける曲率等を調整すればよい。図１０（ｃ）では特に、後に蓄積容量７０を形成するために、容量電極７１の表面が部分的に露出するように第３層間絶縁膜１６を除去している。
【００９９】
図１０（ｄ）では、第３層間絶縁膜１６及び容量電極７１上に容量絶縁膜７２及び画素電極９をＣＶＤ、スパッタリング等により積層することで、蓄積容量７０を形成する。容量絶縁膜７２は、例えばＨＴＯ（High Temperature Oxide）膜、ＬＴＯ（Low Temperature Oxide）膜等の酸化シリコン（ＳｉＯ２）膜、或いは窒化シリコン（ＳｉＮ）膜等から構成された単層構造、或いは多層構造を有するように形成するとよい。また、画素電極９より上層側には液晶５０の配向状態を規制するための配向膜１７を形成する。
【０１００】
以上の工程によってＴＦＴアレイ基板１０上の積層構造が完成する。このようにして完成した基板は、対向電極２１及び配向膜等が積層された対向基板２０とシール材を介して張り合わされ、その間に液晶５０が封入されることによって、前述の液晶装置が完成する。
【０１０１】
＜電子機器＞
次に、上述した電気光学装置である液晶装置を各種の電子機器に適用する場合について説明する。
【０１０２】
図１１は、プロジェクタの構成例を示す平面図である。以下では、この液晶装置をライトバルブとして用いたプロジェクタについて説明する。
【０１０３】
図１１に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【０１０４】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【０１０５】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【０１０６】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【０１０７】
尚、図１１を参照して説明した電子機器の他にも、モバイル型のパーソナルコンピュータや、携帯電話、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１０８】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１０９】
本発明は、上述した実施形態に限られるものではなく、請求の範囲及び明細書全体から読み取れる発明の要旨或いは思想に反しない範囲で適宜変更可能であり、そのような変更を伴う電気光学装置、及び該電気光学装置を備えた電子機器もまた本発明の技術的範囲に含まれるものである。
【図面の簡単な説明】
【０１１０】
【図１】本実施形態に係る液晶装置の平面図である。
【図２】図１のＨ−Ｈ´断面図である。
【図３】本実施形態に係る液晶装置の電気的な構成を示す回路図である。
【図４】本実施形態に係る液晶装置の画像表示領域における配線等の位置関係を透過的に示す模式図である。
【図５】図４のＡ−Ａ´断面図である。
【図６】図４のＢ−Ｂ´断面図である。
【図７】本実施形態及び比較例に係る液晶装置の画素電極付近の積層構造を模式的に示す断面図である。
【図８】本実施形態に係る液晶装置の基板上における傾斜面の分布を示す平面的な模式図である。
【図９】変形例に係る液晶装置の基板上における傾斜面の分布を示す平面的な模式図である。
【図１０】本実施形態に係る液晶装置の製造方法を工程毎に示す工程断面図である。
【図１１】本実施形態に係る液晶装置を適用した電子機器の一例たるプロジェクタの構成を示す平面図である。
【符号の説明】
【０１１１】
６  データ線、  ９  画素電極、  １０  ＴＦＴアレイ基板、  １０ａ  画像表示領域、  １１  走査線、  １６  第３層間絶縁膜、  １６ａ  傾斜面、  ３０  ＴＦＴ、  ７０  蓄積容量、  ７１  容量電極、  ７２  容量絶縁膜
【図１】
2010085537.tif 000003
【図２】
2010085537.tif 000004
【図３】
2010085537.tif 000005
【図４】
2010085537.tif 000006
【図５】
2010085537.tif 000007
【図６】
2010085537.tif 000008
【図７】
2010085537.tif 000009
【図８】
2010085537.tif 000010
【図９】
2010085537.tif 000011
【図１０】
2010085537.tif 000012
【図１１】
2010085537.tif 000013